(57)【特許請求の範囲】
【請求項１】
既知系列を格納するプリアンブル区間およびデータを格納するデータ区間を含んだ無線フレーム信号を送受信する通信装置であって、
複数のアンテナと、
前記複数のアンテナの中のいずれか一つを使用して前記既知系列を受信する処理を一つの無線フレームに含まれているプリアンブル区間において繰り返し実行し、アンテナごとのＳＩＮＲを算出するとともに、当該ＳＩＮＲが最大となるアンテナを前記データの受信で使用するアンテナとして選択する使用アンテナ選択手段と、
前記使用アンテナ選択手段が選択したアンテナを、前記ＳＩＮＲを算出する際に受信した既知系列の送信元の通信装置に対する無線フレーム信号送信で使用するアンテナとして記憶する記憶手段と、
を備え、
前記既知系列として、自己相関特性および相互相関特性が良好な第１の符号および第２の符号を用いた論理演算により得られる系列を使用することを特徴とする通信装置。
【請求項２】
前記使用アンテナ選択手段は、
無線フレーム信号の送受信で使用するアンテナを切り替えるアンテナ切替部と、
前記既知系列を利用して前記プリアンブル区間を検出するとともに、前記プリアンブル区間におけるＳＩＮＲを算出するプリアンブル検出部と、
前記プリアンブル検出部による前記プリアンブル区間の検出結果に基づいて前記アンテナ切替部の制御を行い、前記複数のアンテナそれぞれを使用して前記既知系列を受信させるとともに、前記ＳＩＮＲに基づいて前記データを受信する際に使用するアンテナを決定し、当該決定したアンテナの使用を前記アンテナ切替部に指示する制御部と、
を備えることを特徴とする請求項１に記載の通信装置。
【請求項３】
前記第１の符号を繰り返した系列と前記第２の符号との排他的論理和を前記既知系列として使用することを特徴とする請求項１または２に記載の通信装置。
【請求項４】
複数のアンテナを備え、既知系列を格納するプリアンブル区間およびデータを格納するデータ区間を含んだ無線フレーム信号を送受信する通信装置において実行するアンテナ選択方法であって、
前記複数のアンテナの中のいずれか一つを使用して前記既知系列を受信する処理を一つの無線フレームのプリアンブル区間において繰り返し実行し、アンテナごとのＳＩＮＲを算出するＳＩＮＲ算出ステップと、
前記ＳＩＮＲが最大となるアンテナを前記データの受信で使用するアンテナとして選択する使用アンテナ選択ステップと、
前記選択したアンテナを、前記ＳＩＮＲ算出ステップにおいて受信した既知系列の送信元の通信装置に対する無線フレーム信号送信で使用するアンテナとして記憶する記憶ステップと、
を含み、
前記既知系列として、自己相関特性および相互相関特性が良好な第１の符号および第２の符号を用いた論理演算により得られる系列を使用することを特徴とするアンテナ選択方法。
【発明の詳細な説明】
【技術分野】
【０００１】
本発明は、複数のアンテナを使用して無線通信を行う通信装置に関する。
【背景技術】
【０００２】
無線通信では、送信装置が送信する信号が受信装置で受信される際に、マルチパスによって受信電力が大きく低下するフェージングが発生する。フェージングにより受信電力が低下すると、受信信号を正しく復調できない問題が発生する。このような問題を解決する技術として、複数のアンテナを用いたダイバーシチ技術がある。ダイバーシチ技術は、送信時に適用される送信ダイバーシチと、受信時に適用される受信ダイバーシチがある。それぞれ様々な技術があるが、その１つに受信性能を最適にするアンテナを選択する選択ダイバーシチがある。選択ダイバーシチは送信および受信ともに適用可能である。
【０００３】
特許文献１には、送信ダイバーシチ技術が開示されており、この送信ダイバーシチでは、送信時に最適なアンテナを選択できるようにするため、通信相手毎に最新の通信履歴として送信に使用したアンテナを記憶し、次の送信時に記憶していた送信アンテナを使用する。また、送信信号がエラーとなり、再送する時には、他のアンテナに切り替えて送信を行う。
【０００４】
一方、特許文献２には、受信ダイバーシチ技術が開示されており、この受信ダイバーシチでは、受信時に最適なアンテナを選択できるようにするため、無線フレーム内に配置されたプリアンブルの途中でアンテナを切り替え、各アンテナで受信した信号の平均受信電力を測定し、より受信電力の大きいアンテナを選択する。
【先行技術文献】
【特許文献】
【０００５】
【特許文献１】特開平８−２５６１６２号公報
【特許文献２】特表２００７−５２９１６０号公報
【発明の概要】
【発明が解決しようとする課題】
【０００６】
上記従来の送信ダイバーシチにおける送信アンテナの選択では、送信時に前回送信が成功したアンテナを選択するようにしているため、他のアンテナで送信したほうが受信品質がよい可能性もあり、必ずしも最適なアンテナを選択しているとは限らない。また、上記従来の受信ダイバーシチにおける受信アンテナの選択では、各アンテナでの受信電力に従ってアンテナを選択しているが、受信電力では必ずしも最適なアンテナを選択できるとは限らない。無線通信では、受信信号に他の通信装置の送信信号が干渉として混入することがあり、そのような場合、受信電力は高いが、受信信号の品質が悪くなり、受信できない状況が生じうる。
【０００７】
本発明は、上記に鑑みてなされたものであって、送信時および受信時に最適なアンテナを選択して通信品質を高めることができる通信装置およびアンテナ選択方法を得ることを目的とする。
【課題を解決するための手段】
【０００８】
上述した課題を解決し、目的を達成するために、本発明は、既知系列を格納するプリアンブル区間およびデータを格納するデータ区間を含んだ無線フレーム信号を送受信する通信装置であって、複数のアンテナと、前記複数のアンテナの中のいずれか一つを使用して前記既知系列を受信する処理を一つの無線フレームに含まれているプリアンブル区間において繰り返し実行し、アンテナごとのＳＩＮＲを算出するとともに、当該ＳＩＮＲが最大となるアンテナを前記データの受信で使用するアンテナとして選択する使用アンテナ選択手段と、前記使用アンテナ選択手段が選択したアンテナを、前記ＳＩＮＲを算出する際に受信した既知系列の送信元の通信装置に対する無線フレーム信号送信で使用するアンテナとして記憶する記憶手段と、を備えることを特徴とする。
【発明の効果】
【０００９】
本発明によれば、各アンテナを使用した場合それぞれについてのＳＩＮＲを算出し、算出したＳＩＮＲの比較結果に基づいて、送受信処理で使用するアンテナを決定するので、送信時および受信時それぞれにおいて最適なアンテナを選択することが可能となり、送信側および受信側それぞれでダイバーシチによる性能改善を得ることができ、通信品質が改善されるという効果を奏する。
【図面の簡単な説明】
【００１０】
【図１】図１は、本発明にかかる通信装置の構成例を示す図である。
【図２】図２は、ＰＲ付加部の構成例を示す図である。
【図３】図３は、プリアンブル生成部の構成例を示す図である。
【図４】図４は、無線フレームデータの構成およびプリアンブルの例を示す図である。
【図５】図５は、基本系列＃２の一例を示す図である。
【図６】図６は、無線フレームデータの構成およびプリアンブルの例を示す図である。
【図７】図７は、ＰＲ検出部の構成例を示す図である。
【図８】図８は、相関電力およびタイミング検出部の処理イメージを示す図である。
【図９】図９は、アンテナ選択情報を生成する制御部の動作の一例を示したフローチャートである。
【図１０】図１０は、アンテナ選択情報を生成する制御部の動作の一例を示したフローチャートである。
【図１１】図１１は、アンテナ選択情報を生成する制御部の動作の一例を示したフローチャートである。
【図１２】図１２は、アンテナ選択情報を生成する制御部の動作の一例を示したフローチャートである。
【発明を実施するための形態】
【００１１】
以下に、本発明にかかる通信装置およびアンテナ選択方法の実施の形態を図面に基づいて詳細に説明する。なお、この実施の形態によりこの発明が限定されるものではない。
【００１２】
実施の形態．
図１は、本発明にかかる通信装置の構成例を示す図である。本実施の形態の通信装置は、送信データのＣＲＣ（Cyclic  Redundancy  Check）を計算し、送信データに付加するＣＲＣ生成部１と、ＣＲＣが付加された送信データから送信変調シンボルを生成する変調部２と、プリアンブルを生成し、送信変調シンボルに付加するＰＲ付加部３と、デジタル送信信号をアンテナから送信するＲＦ信号に変換すると共に、アンテナで受信したＲＦ信号をデジタル受信信号に変換する無線部４と、受信信号からプリアンブルを検出すると共に、受信信号のＳＩＮＲ（Signal  to  Interference  and  Noise  Ratio）を測定するＰＲ検出部５と、受信信号を復調し、受信データを出力する復調部６と、受信データのＣＲＣチェックを行うＣＲＣチェック部７と、ＰＲ検出部５からのＰＲ検出情報およびＳＩＮＲに基づき、復調部６および後述するアンテナ切替部１０を制御する制御部８と、通信相手の情報および受信時のＳＩＮＲの高いアンテナ識別情報（アンテナ番号）を記憶する記憶部９と、無線部４と接続する１本のアンテナを切り替えるアンテナ切替部１０と、ＲＦ信号を送信または受信するアンテナ１１およびアンテナ１２と、を備える。なお、以降の説明ではアンテナ１１をアンテナ＃１、アンテナ１２をアンテナ＃２とする場合がある。
【００１３】
次に動作について説明する。図１に示した通信装置においては、上位制御部（図示せず）からの送信要求に従って送信動作を実施する。送信動作を行っていないときは、受信動作を実施する。以下、送信時の動作と受信時の動作に分けて、詳しく説明する。
【００１４】
（送信時の動作）
本実施の形態の通信装置において、送信データはＣＲＣ生成部１に入力される。ＣＲＣ生成部１は入力された送信データのＣＲＣを計算し、送信データに付加する。ＣＲＣの計算方法は一般的な処理であり、詳細な説明は省略する。
【００１５】
ＣＲＣが付加された送信データは変調部２に入力される。変調部２はＣＲＣが付加された送信データから、変調シンボルを生成する。変調方式はＢＰＳＫ（Binary  Phase  Shift  Keying）やＱＰＳＫ（Quadrature  Phase  Shift  Keying）など一般的な方式でよく、詳細な説明は省略する。
【００１６】
生成された変調シンボルはＰＲ付加部３に入力される。ＰＲ付加部３は変調シンボルに対してプリアンブルを付加する。
【００１７】
ＰＲ付加部３の構成と動作について図２を用いて説明する。図２は、ＰＲ付加部３の構成例を示す図である。図示したように、ＰＲ付加部３は、データに付加するプリアンブルを生成するプリアンブル生成部３１と、プリアンブルとデータを結合する結合部３２とを備える。ＰＲ付加部３において、結合部３２は、入力された変調シンボル（データ）とプリアンブル生成部３１で生成されたプリアンブルを結合する。このとき、データ（変調シンボル）の前にプリアンブルを配置するのが一般的であるが、プリアンブルはデータの前だけでなく、データの途中に配置してもよい。
【００１８】
プリアンブル生成部３１の構成と動作について、プリアンブル生成部３１の構成例を示した図３を用いて説明する。図３に示したように、プリアンブル生成部３１は、基本系列生成部３１１および３１２と、加算器３１３と、変換部３１４とを備える。
【００１９】
基本系列生成部３１１は、例えば符号長７ビットのＰＮ符号を基本系列＃１として生成する。ＰＮ符号の生成方法は一般的な方法でよく、詳細な説明は省略する。基本系列生成部３１２は、例えば符号長４ビットの直交符号を基本系列＃２として生成する。直交符号の生成方法は一般的な方法でよく、詳細な説明は省略する。この基本系列生成部３１２は、基本系列生成部３１１が基本系列＃１を符号長分（７ビット）出力する毎に基本系列＃２を１ビット出力する。加算器３１３は、基本系列生成部３１１から出力された基本系列＃１と基本系列生成部３１２から出力された基本系列＃２の排他的論理和を取る。加算器３１３の出力は０または１のデータである。変換部３１４は、加算器３１３から出力されたデータを送信シンボルに変換する。例えば０は１に、１は−１に変換する。なお、基本系列＃１および基本系列＃２は、通信を行う通信装置間で既知の系列である。
【００２０】
次に、プリアンブル生成部３１で生成するプリアンブルについて図４を用いて説明する。図４は、変調シンボル（データ）にプリアンブルを付加して生成される無線フレームデータの構成およびプリアンブルの例を示す図である。図４には符号長が７ビットの基本系列＃１を複数回繰り返した系列をプリアンブルとした場合の例を示しており、具体的には、基本系列＃１を８回繰り返したものである。さらに、基本系列＃１を繰り返す際、基本系列＃２の１ビットと排他的論理和を取る。この基本系列＃２を複数用意することにより、複数のプリアンブルを生成可能とする。基本系列＃２には、例えば図５に示す系列長４の４つの直交符号を用いる。図４に示したプリアンブル＃１〜＃４は、それぞれ図５に示す基本系列＃２のコード番号＃１〜＃４と排他的論理和が取られている。図４で網掛けされている基本系列＃１は排他的論理和により０と１が反転したものを示している。この例においては、基本系列＃１は８回繰り返しているため、基本系列＃２は２回繰り返している。
【００２１】
なお、基本系列＃２を２回繰り返す際、２回目の０と１を反転してもよい。その場合のプリアンブル＃１〜＃４は図６に示したものとなる。
【００２２】
また、基本系列＃１にＰＮ符号を、基本系列＃２に直交符号を用いるとしたが、どちらも自己相関特性および相互相関特性が良好な符号であればよく、各基本系列をこれらの符号に限定するものではない。
【００２３】
図１を用いた説明に戻り、ＰＲ付加部３で生成された無線フレームデータは無線部４に入力される。無線部４は入力された無線フレームデータをＤ／Ａ変換、アップコンバージョン、増幅などし、送信ＲＦ信号に変換する。無線部４の処理は一般的な処理であり、詳細な説明は省略する。
【００２４】
送信ＲＦ信号はアンテナ切替部１０に入力される。アンテナ切替部１０は送信ＲＦ信号をアンテナ１１またはアンテナ１２に出力する。どちらのアンテナに出力するかは制御部８から入力されるアンテナ選択情報が示すアンテナとする。アンテナ選択情報の生成方法については後述する。
【００２５】
（受信時の動作）
本実施の形態の通信装置においては、受信動作開始時、２本のアンテナのうち、アンテナ１１を使用する。すなわち、アンテナ切替部１０はアンテナ１１と無線部４を接続するよう、制御部８から制御される。
【００２６】
アンテナ１１で受信された受信ＲＦ信号はアンテナ切替部１０を経て、無線部４に入力される。無線部４は入力された受信ＲＦ信号を増幅、ダウンコンバート、Ａ／Ｄ変換などし、複素（Ｉ，Ｑ）の受信ベースバンド信号に変換する。無線部４の処理は一般的な処理であり、詳細な説明は省略する。
【００２７】
受信ベースバンド信号はＰＲ検出部５に入力される。ＰＲ検出部５は受信ベースバンド信号から無線フレームタイミングの検出、ＳＩＮＲ測定、基本系列＃２の判定を実施する。
【００２８】
ＰＲ検出部５の構成と動作について図７を用いて説明する。図７は、ＰＲ検出部５の構成例を示す図である。図示したように、ＰＲ検出部５は、基本系列＃１を生成する基本系列生成部５１と、受信ベースバンド信号と基本系列＃１との相関演算を行う相関演算部５２と、相関演算結果を電力化する電力化部５３と、相関電力のピークタイミングを検出するタイミング検出部５４と、相関電力からＳＩＮＲを測定するＳＩＮＲ測定部５５と、基本系列＃２を生成する基本系列生成部５６と、基本系列＃２の系列番号（コード番号）を判定する基本系列判定部５７とを備える。
【００２９】
基本系列生成部５１は、上述した基本系列生成部３１１と同様の処理により上述した基本系列＃１を生成する。相関演算部５２は、受信ベースバンド信号と基本系列＃１との畳込み演算を実施し、複素（Ｉ、Ｑ）の相関値を出力する。電力化部５３は、相関値の電力を計算し、算出した相関電力を出力する。タイミング検出部５４は、相関電力と所定のしきい値Ｐｔｈとを比較し、相関電力がしきい値Ｐｔｈ以上である状態で相関電力のピークを検出すると、検出タイミングとして制御部８へ出力する。しきい値Ｐｔｈは上位制御部（図示せず）から与えられる。
【００３０】
図８に相関電力およびタイミング検出部の処理イメージを示す。図８のグラフは横軸が時間で、縦軸が相関電力であり、細い点線で示したしきい値Ｐｔｈ以上となる相関電力のピークタイミング（矢印で示したタイミング）が検出タイミングとなる。なお、動作の詳細については後述するが、アンテナ切替部１０は、制御部８からの指示に従い、プリアンブルの受信動作中に使用アンテナをアンテナ＃１からアンテナ＃２に切り替える。図８に示した例においては、基本系列＃１を４回繰り返した時点（プリアンブルの中間に相当するタイミング）を切り替えタイミングとしている。
【００３１】
ＳＩＮＲ測定部５５は、タイミング検出部５４から入力される検出タイミングが示すタイミングの相関電力を信号電力（Ｓ）とし、それ以外のタイミングの相関電力を干渉＋ノイズ電力（Ｉ＋Ｎ）としてＳＩＮＲを計算し、制御部８へ出力する。この動作を図８を用いて説明すると、矢印で示した検出タイミングの相関電力を信号電力（Ｓ）、それ以外のタイミングの相関電力を干渉＋ノイズ電力（Ｉ＋Ｎ）とする。信号電力（Ｓ）と干渉＋ノイズ電力（Ｉ＋Ｎ）はそれぞれ複数タイミングを平均しても良い。ただし、アンテナが異なるタイミングの電力は平均化しない。
【００３２】
基本系列生成部５６は、上述した基本系列生成部３１２と同様の処理により上述した基本系列＃２（図５に示したコード番号が＃１〜＃４の各基本系列＃２）を生成し、全系列を出力する。基本系列判定部５７は、タイミング検出部５４で検出されたタイミングにおいて、相関演算部５２から入力された複素相関値と全基本系列＃２との相関電力をそれぞれ計算し、最も相関電力の大きい基本系列＃２の系列番号（コード番号）を制御部８へ出力する。
【００３３】
図１を用いた説明に戻り、無線部４から出力される受信ベースバンド信号は復調部６にも入力される。復調部６は、制御部８からのタイミング情報を基に、復調処理を実施し、復調ビットを出力する。復調処理は一般的な処理であり、詳細な説明は省略する。
【００３４】
復調ビットはＣＲＣチェック部７に入力される。ＣＲＣチェック部７は、復調ビットのＣＲＣチェックを実施し、ＣＲＣが一致（ＯＫ）か、不一致（ＮＧ）かを判定する。ＣＲＣチェックは一般的な処理であり、詳細な説明は省略する。ＣＲＣチェック部７はＣＲＣチェック後、ＣＲＣを除去した受信ビットとＣＲＣ判定結果を出力する。
【００３５】
制御部８は、ＰＲ検出部５の出力する検出タイミングに基づき、復調部６に対して復調開始を指示する。また、ＰＲ検出部５の出力するＳＩＮＲおよび検出タイミングに基づき、アンテナ切替部１０に対してアンテナ選択情報を出力する。アンテナ選択情報の生成方法については後述する。
【００３６】
記憶部９は、通信相手の番号（識別情報）に相当する基本系列＃２の系列番号とその通信で使用したアンテナ番号とを対応付けて記憶する。アンテナ番号は、送信時と受信時とそれぞれ記憶してもよい。
【００３７】
アンテナ選択情報の生成方法を図９〜図１２を用いて説明する。図９〜図１２は、アンテナ選択情報を生成する制御部８の動作の一例を示したフローチャートであり、図９はアンテナ選択情報の生成動作のメインフローチャートである。図１０は送信処理フローチャートである。図１１は受信処理フローチャートである。図１２は送信タイマ満了時のフローである。
【００３８】
制御部８は、アンテナ選択情報の生成動作を開始すると、図９に示したように、上位制御部（図示せず）からの送信要求有無を判定する（ステップＳ１１）。送信要求がある場合（ステップＳ１１：Ｙｅｓ）、送信処理を行う（ステップＳ１２）。この送信処理は図１０に示したフローチャートに従って行う。一方、送信要求がない場合（ステップＳ１１：Ｎｏ）、受信処理を行う（ステップＳ１３）。この受信処理は図１１に示したフローチャートに従って行う。
【００３９】
上記ステップＳ１２で示した送信処理において、制御部８は、図１０に示したように、まず、以前に通信した際のアンテナ番号を記憶部９から取得し、さらに、以前に通信した際のアンテナ番号の有無を確認する（ステップＳ２１，Ｓ２２）。確認の結果、アンテナ番号があった場合（ステップＳ２２：Ｙｅｓ）、記憶部９から取得したアンテナ番号を使用するよう指示するアンテナ選択情報を生成してアンテナ切替部１０に出力する（ステップＳ２３）。一方、アンテナ番号がない場合（ステップＳ２２：Ｎｏ）、アンテナ番号＃１（初期値）を使用するよう指示するアンテナ選択情報を生成してアンテナ切替部１０に出力する（ステップＳ２４）。ステップＳ２３またはステップＳ２４を実行すると、次に、送信処理を行う（ステップＳ２５）。このステップＳ２５の処理は、制御部８以外の構成要素も含んだ装置全体としての処理であるが制御部８としては具体的に何もしない。ステップＳ２５における送信処理が終了すると、制御部８は、送信に使用したアンテナ番号（上記アンテナ選択情報が示しているアンテナ番号）を記憶部９に記憶する（ステップＳ２６）。次に、制御部８は、本送信がＡＣＫ送信かどうかを判定する（ステップＳ２７）。ＡＣＫ送信かどうかは上位制御部（図示せず）から入力される情報を確認することにより判定する。ＡＣＫ送信の場合（ステップＳ２７：Ｙｅｓ）、送信処理を終了する。一方、ＡＣＫ送信ではない場合（ステップＳ２７：Ｎｏ）、送信タイマを開始し（ステップＳ２８）、送信処理を終了する。
【００４０】
上記ステップＳ１３で示した受信処理において、制御部８は、図１１に示したように、まず、アンテナ番号＃１（初期値）を使用するよう指示するアンテナ選択情報を生成してアンテナ切替部１０に出力する（ステップＳ３１）。次に、ＰＲ検出部５の出力からプリアンブル検出判定を実施し（ステップＳ３２）、検出なしの場合はプリアンブル検出判定を繰り返す（ステップＳ３２：Ｎｏ）。一方、検出ありの場合（ステップＳ３２：Ｙｅｓ）、アンテナ番号＃２を使用するよう指示するアンテナ選択情報を生成し、アンテナ切替タイミングにおいてアンテナ切替部１０に対して出力して受信アンテナを切り替える（ステップＳ３３）。このアンテナ切替タイミングは図８に示したものであり、プリアンブルの中間に当る基本系列＃１の切れ目である。アンテナ＃２を使用したプリアンブルの受信が終了すると、制御部８は、次に、ＰＲ検出部５から出力されるアンテナ＃１で受信された信号のＳＩＮＲであるＳＩＮＲ＃１と、アンテナ＃２で受信された信号のＳＩＮＲであるＳＩＮＲ＃２を比較する（ステップ＃３４）。ＳＩＮＲ１＃１≧ＳＩＮＲ＃２の場合（ステップＳ３４：Ｙｅｓ）、アンテナ＃１を選択することに決定し、アンテナ番号＃１を使用するよう指示するアンテナ選択情報を生成してアンテナ切替部１０に出力する（ステップＳ３５）。これに対して、ＳＩＮＲ＃１＜ＳＩＮＲ＃２の場合（ステップＳ３４：Ｎｏ）、アンテナ番号＃２を使用するよう指示するアンテナ選択情報を生成してアンテナ切替部１０に出力する（ステップＳ３６）。ステップＳ３５またはステップＳ３６を実行すると、制御部８は、次に、ＰＲ検出部５で検出されたタイミングを基に復調部６を起動させ、データ受信処理を実施させる（ステップＳ３７）。次に、ＣＲＣがＯＫかＮＧかを判定し（ステップＳ３８）、ＯＫの場合（ステップＳ３８：Ｙｅｓ）、データ受信に使用したＳＩＮＲの高いアンテナ番号（上記ステップＳ３４での比較結果に応じて選択したアンテナの番号）を記憶部９に記憶し（ステップＳ３９）、処理を終了する。一方、ＣＲＣがＮＧの場合（ステップＳ３８：Ｎｏ）、ステップＳ３１に戻り、受信処理を継続する。なお、本受信処理はＣＲＣがＯＫとなったことにより終了する他に、上位制御部（図示せず）からの制御および送信タイマ満了時にも終了する。
【００４１】
送信タイマ満了に伴い受信処理を終了する場合には、図１２に示したように、制御部８は、まず、記憶部９から送信アンテナ番号を取得し（ステップＳ４１）、この取得した番号に１加えてアンテナ番号を変更する。なお、１加えた値がアンテナ数より大きくなった場合、アンテナ番号の最小値にする。そして、変更後のアンテナ番号に対応するアンテナを使用するよう指示するアンテナ選択情報を生成し、アンテナ切替部１０に出力する（ステップＳ４２）。次に、送信処理を行う（ステップＳ４３）。このステップＳ４３の処理は、上述した図１０のステップＳ２５と同様の処理である。ステップＳ４３における送信処理が終了すると、制御部８は、記憶部９に送信アンテナ番号を記憶し（ステップＳ４４）、送信タイマを開始し（ステップＳ４５）、処理を終了する。
【００４２】
なお、本実施の形態では、アンテナ数が２本の場合について説明したが、アンテナ数は２本より多くてもよい。アンテナが２本より多い場合の実施の形態は、当業者であれば本実施の形態から容易に拡張できる。例えば、受信処理（図１１参照）においては、プリアンブル検出後、プリアンブル区間において各アンテナを切り替えて各アンテナ使用時のＳＩＮＲを算出し、ＳＩＮＲが最大となるアンテナを選択して使用すればよい。
【００４３】
このように、本実施の形態の通信装置においては、有している各アンテナを使用した場合それぞれについてのＳＩＮＲを算出し、算出したＳＩＮＲの比較結果に基づいて、送受信処理で使用するアンテナを決定することとした。これにより、送信時および受信時それぞれにおいて最適なアンテナを選択することが可能となり、送信側および受信側それぞれでダイバーシチによる性能改善を得ることができ、通信品質が改善される。
【産業上の利用可能性】
【００４４】
以上のように、本発明にかかる通信装置は、無線通信システムに有用であり、特に、複数のアンテナを選択的に使用する選択ダイバーシチを適用した通信装置に適している。
【符号の説明】
【００４５】
１  ＣＲＣ生成部
２  変調部
３  ＰＲ付加部
４  無線部
５  ＰＲ検出部
６  復調部
７  ＣＲＣチェック部
８  制御部
９  記憶部
１０  アンテナ切替部
１１，１２  アンテナ
３１  プリアンブル生成部
３２  結合部
５１，５６，３１１，３１２  基本系列生成部
５２  相関演算部
５３  電力化部
５４  タイミング検出部
５５  ＳＩＮＲ測定部
５７  基本系列判定部
３１３  加算器
３１４  変換部
【図１】
0005622621.tif 000002
【図２】
0005622621.tif 000003
【図３】
0005622621.tif 000004
【図４】
0005622621.tif 000005
【図５】
0005622621.tif 000006
【図６】
0005622621.tif 000007
【図７】
0005622621.tif 000008
【図８】
0005622621.tif 000009
【図９】
0005622621.tif 000010
【図１０】
0005622621.tif 000011
【図１１】
0005622621.tif 000012
【図１２】
0005622621.tif 000013